Podtech/llm-jp-corpus-v4-ja_patent huggingface dataset:
(57)【要約】【課題】ゴミ箱内に小バエが発生すると蓋を開けて上から殺虫剤を噴霧しても完全に駆除、発生を防ぐ事は不可能だった。  本発明は、ゴミ箱に発生する小バエを駆除、発生防止のための小バエ発生防止ゴミ箱を提供する。【解決手段】  ゴミ箱蓋に穴を設け、上部噴霧戸枠の引戸板を開き殺虫剤を噴霧し引戸板を閉めて、駆除することを特徴とする子バエ発生防止ゴミ箱。【選択図】図１
2016155681.tif 000002
【特許請求の範囲】
【請求項１】
ゴミ箱蓋の上部に穴を設け、噴霧口戸枠を取付けた小バエ発生防止ゴミ箱。
【発明の詳細な説明】
【技術分野】
【０００１】  本発明は、ゴミ箱に発生する小バエを駆除、発生防止に関するものである。
【背景技術】
【０００２】  従来、小バエを駆除、発生防止するためにゴミ箱の蓋を開け殺虫剤を噴霧していた。
【先行技術文献】
【特許文献】
【０００３】
【特許文献１】
【発明の概要】
【発明が解決しようとする課題】
【０００４】  、蓋を開けて殺虫剤を噴霧するために効き目が半減し、完全な駆除、発生防止が不可能だった。
本発明は、以上の問題点を解決するためになされたものである。
【課題を解決するための手段】
【０００５】  ゴミ箱の蓋に穴を開け、上部に引戸板により開閉の出来る噴霧口戸枠を設ける。
以上の構成よりなる小バエ発生防止ゴミ箱。
【発明の効果】
【０００６】  従来発生防止、完全駆除が難しかったものを、本発明により可能にし、効率よく完全に発生を防ぐことができる。
【図面の簡単な説明】
【０００７】
【図１】本発明の引戸板を開けた，使用状態を示す斜視図
【図２】本発明の引戸板を閉めた，使用状態を示す斜視図
【発明を実施するための形態】
【０００８】以下、本発明の実施の形態を説明する。
噴霧口（３）噴霧口戸枠（４）の部品  引戸板（５）
本発明は以上のような構造である。
本発明を使用するときは噴霧口戸枠（４）の引戸板（５）を開け噴霧口（３）より殺虫剤を噴霧した後、引戸板を閉め密封を保ち完全に駆除する。
【符号の説明】
【０００９】  １  ゴミ箱本体  ２  ゴミ箱蓋  ３  噴霧口  ４  噴霧口戸枠  ５  引戸板
【図１】
2016155681.tif 000003
【図２】
2016155681.tif 000004
(57)【要約】【課題】  本発明は、パイロットのＧをなくす方法に関し、詳しくは、チャジャー、また、送風機原理を利用して人間に送風、吸入して、発進、停止時の負荷重（Ｇ）をなくす方法を提供する。【解決手段】    蓄電池を使用してモーターを回転してスーパーチャジャー、また、送風機原理を用いてパイロットの負荷（Ｇ）をなくすことを特徴とするパイロットの負荷（Ｇ）をなくす方法。【選択図】図１
2016155533.tif 000002
【特許請求の範囲】
【請求項１】
蓄電池を使用してモーターを回転してスーパーチャジャー、また、送風機原理を用いてパイロットの負荷（Ｇ）をなくすことを特徴とするパイロットの負荷（Ｇ）をなくす方法。
【発明の詳細な説明】
【技術分野】
【０００１】  本発明は、パイロットのＧをなくす方法に関し、詳しくは、チャジャー、また、送風機原理を利用して人間に送風、吸入して、発進、停止時の負荷重（Ｇ）をなくす方法に関するものである。
【背景技術】
【０００２】  従来、トンネル内の空気を循環させるために使用されている送風機の手前に人が立つと引き込まれることが知られている。
【発明の概要】
【発明が解決しようとする課題】
【０００３】  そのために次のような問題があった。
従来は、パイロットのＧをなくす対策、方法はなかった。
本発明は、このような課題に鑑みてなされたものであって、空気チャジャー、また、送風機の原理を用いてパイロットの負荷（Ｇ）をなくす方法を提供することを目的としている。
本発明は、以上の問題点を解決しようとするものである。
【課題を解決するための手段】
【０００４】  前記した課題を解決するために、本発明は、空気チャジャー、また、送風機の原理を用いてジェット機の発進、停止するときに人間を吸引してパイロットの負荷（Ｇ）を無くすことを特徴とする。
【発明の効果】
【０００５】  本発明によれば、空気チャジャー、送風機の原理を用いてパイロットのＧをなくすことが可能になる、
【図面の簡単な説明】
【０００６】
【図１】  本発明の一実施例を示した構成図である。
【発明を実施するための形態】
【０００７】  以下、本発明の実施の形態について説明する。
図１は、本発明の一実施例を示した構成図である。
図１において、１は、空気を吸入する方向である。
２は、空気の排出をする方向である。
３は、人間（パイロット）である。
４は、空気を吸入、送風するチャジャー、送風機の原理を用いて発進するときだけモーターを稼動して人間を吸引、送風して負荷（Ｇ）をなくしスピード上がった時点でモーターの稼動を中止してフリーの回転で吸引、送風するものである。
５は、モーターで吸引用の羽根と送風用の羽根を回転するものである。
なお、本発明による特許出願番号「特願２０１４−１６７９３３」、「発明の名称」充電体を用いた発電方法と「発明の名称」モーターの馬力アップ方法。
「特願２０１４−３８１０」出願中の試作使用することも一考である。
６は、空気を吸引用の羽根である。
７は、送風用の羽根である。
８は、空気の流れる方向を変えるものである。
０は、飛行機（ジェット機）である。
以上説明したように、本発明によればジェットパイロットのマッハのスピード時のＧ負荷をなくすことができる。
【符号の説明】
【０００８】    １  空気吸入
２  排出
３  人間パイロットジャケット
４  チャジャー
５  モーター
６  吸引用羽根
７  送風用羽根
８  切り替えコック
０  飛行機・前・後
【図１】
2016155533.tif 000003
(57)【要約】      （修正有）【課題】自転車の前輪に重い荷重が掛かると、ハンドルを曲げた方向に転倒し、非常に危険である。自転車の前籠に荷物を満載又、幼児座席に子供を乗せた時に生ずる駐輪時の不安定を解消する。【解決手段】前輪に１本スタンド１を取り付け、ハンドルを曲げた方向の転倒を防止した。１本スタンド１は両立スタンド２の補助とし、１本スタンド１の長さを適切にし、自転車のフレームにしっかり噛み合わせて、１本スタンド１の取り付ける。【選択図】図１
2016155535.tif 000002
【特許請求の範囲】
【請求項１】
自転車の前輪に１本スタンドを取り付ける。
【発明の詳細な説明】
【技術分野】
【０００１】  本発明は、自転車の前籠に荷物を満載又、幼児座席に子供を乗せた時に生ずる駐輪時の不安定を解消するものである。
【背景技術】
【０００２】  自転車の駐輪時は後ろスタンドだけで非常に安定が悪い。
【発明の概要】
【発明が解決しようとする課題】
【０００３】  従来前輪側に重い荷重が掛かるとハンドルを曲げた方向に転倒した。
【課題を解決するための手段】
【０００４】  前輪に１本スタンドを取り付け、ハンドルを少し曲げた時にスタンドが接地面に付くように調整すれば１本スタンドを立てた側には転倒しない。
【発明の効果】
【０００５】  以上、説明のように本発明によれば前輪に荷重が掛かった時にこの補助スタンドを降ろせば転倒はしなくなる。
【図面の簡単な説明】
【０００６】
【図１】  本発明の全体図である。
【図２】  本発明のスタンド格納時の図である。
【図３】  本発明のスタンド取り付け状態図である。
【発明を実施するための形態】
【０００７】以下、本発明の形態で重要ポイントを並べる。
（イ）        １本スタンドは（２）の両立スタンドの補助とすること。
（ロ）        １本スタンドの長さ（１）を適切にすること。
（ハ）        １本スタンドの取り付けは自転車のフレーム（４）にしっかり噛み合わせ              る事（３）
【符号の説明】
【０００８】１            １本スタンド
２            両立スタンド
３            １本スタンド噛み合わせ部
４            自転車フレーム
【図１】
2016155535.tif 000003
【図２】
2016155535.tif 000004
【図３】
2016155535.tif 000005
(57)【要約】      （修正有）【課題】オフィス内へのスマートフォンの持込を可能とし、スマートホンを社内パソコンへ接続した、個人情報・機密情報の搾取とカメラ・ビデオ機能を使用した、個人情報・機密情報の盗撮を防止する。【解決手段】スマートホンセキュリティーケース１には、スマートホンのカメラ・ビデオの自動焦点機能を抑制するための半透明なシート２を全体に設け、スマートホンの取り出しを規制する施錠機能鍵４を装着した。【選択図】図１
2016149731.tif 000002
【特許請求の範囲】
【請求項１】
スマートホンセキュリティーケースには、スマートホンのカメラ・ビデオの自動焦点機能を抑制するための半透明なシートを全体に設け、スマートホンの取り出しを規制する施錠機能を装着したスマートホンセキュリティーケース。
【発明の詳細な説明】
【技術分野】
【０００１】  スマートホンを使用した個人情報・機密情報の漏洩を防止するものである。
【背景技術】
【０００２】  スマートホンを社内のパソコンへ接続した、個人情報・機密情報の搾取が問題となっているが、オフィス内へのスマートホンの持込はノーチェックとなっている。また、持込を制限することは、親族からの緊急連絡や個人所有スマートホンを業務で使用している場合の顧客からの業務連絡が不能となることにより、問題が発生する可能性があり、また、オフィス内へスマートホンの持込を禁止した場合には、別途、個人所有スマートホンの保管場所の確保と保管管理者を設置する必要があり、持込を制限することは容易ではない。
但し、オフィス内でスマートホンの使用できる可能は、機能を電話の通話・電子メールの送受信・インターネットの検索に制限する必要がある。
【発明の概要】
【発明が解決しようとする課題】
【０００３】  スマートホンを社内のパソコンへ接続し、企業のコンピュータからの個人情報・機密情報の不正取得が行われている。また、カメラ・ビデオ機能を使用した、個人情報・機密情報の盗撮も同様に、防止すことが必要となっている。
本発明は、以上の問題を解決するためになされたものである。
【課題を解決するための手段】
【０００４】  スマートホンセキュリティーケースには、スマートホンのカメラ・ビデオの自動焦点機能を抑制するための半透明なシートを全体に設け、スマートホンの取り出しを規制する施錠機能を装着したスマートホンセキュリティーケース。
【発明の効果】
【０００５】  本発明のスマートホンセキュリティーケースに各個人のスマートホンを格納しケースを施錠後、オフィスに持ち込むことにより、スマートホンと社内のパソコンへの接続機能が不能となる。また、スマートホンのカメラ・ビデオ機能を抑制することができる。
電話の通話・電子メールの送受信・インターネットの検索等の機能につては、通常通りに使用できるようになるので、個人情報・機密情報の不正取得が防止できる。
【図面の簡単な説明】
【０００６】
【図１】スマートホンセキュリティーケースの平面図である。
【図２】スマートホンセキュリティーケースに、スマートホンで電話の通話を使用した場合の使用状態図である。
【図３】スマートホンセキュリティーケースに、スマートホンでカメラ機能を使用した場合の使用状態図である。
【発明を実施するための形態】
【０００７】以下、本発明の実施の形態を説明する。
（イ）スマートホンセキュリティーケース（１）に半透明なシート（２）を全体に貼り付      ける。
（ロ）スマートホンセキュリティーケース（１）のスマートホン投入口（３）に鍵（４）      を取り付ける。
本発明は以上のような構造である。
オフィスの入室前に、スマートホン（５）をスマートホンセキュリティーケース（１）に収め施錠後、鍵（４）はオフィス退室時まで、セキュリティー管理者が保管する。
スマートホンセキュリティーケース（１）のスマートホン投入口（３）が施錠され、オフィス内でのスマートホンセキュリティーケース（１）からのスマートホン（５）の取り出しが出来なくなる。これにより、スマートホン（５）と社内のパソコンへの接続機能が不能となり、大量の個人情報・機密情報の流出が防止できる。
また、スマートホンセキュリティーケース（１）に半透明なシート（２）を全体に貼り付ことにより、スマートホン（５）のカメラ・ビデオの自動焦点機能が正常にはたらかなくなり、個人情報・機密情報の盗撮防止（カメラ・ビデオで個人情報・機密情報が盗撮されて場合には、パソコンからの情報流出と異なり、盗撮されても盗撮の履歴が残らない）ができる。
但し、半透明なシート（２）により、スマートホン（５）の画面の内容は認識できるため、オフィス内での電話の通話・電子メールの送受信・インターネットの検索は、通常と同じ状態で使用可能である。
オフィス退室時には、セキュリティー管理者が保管から鍵（４）を受け取り、スマートホンセキュリティーケース（１）を開錠後、スマートホン（５）を取り出し、スマートホンセキュリティーケース（１）と鍵（４）をセキュリティー管理者に返却する事により、繰り返し何度でも使用が可能である。
【符号の説明】
【０００８】１  スマートホンセキュリティーケース      ２  半透明なシート
３  スマートホン投入口                    ４  鍵
５  スマートホン
【図１】
2016149731.tif 000003
【図２】
2016149731.tif 000004
【図３】
2016149731.tif 000005
(57)【要約】      （修正有）【課題】初期トルクと初期発熱の増大を抑制し、且つグリースによる潤滑性を確保することができるアンギュラ玉軸受の提供。【解決手段】、保持器１６の外径側中央部に突起部２２が形成し、保持器１６の外径面、外輪軌道溝１４及び転動体１５に囲まれる空間２０ａを小さくすることにより、外輪１２のカウンタボア１７側からグリースを封入しても、前記空間２０ａに封入されるグリースは少なくなり、回転初期に転動体１５が空間２０ａに封入されたグリースを掻き分ける力が小さくなるので、軸受の初期トルクと初期発熱を抑制することができる。【選択図】図１
2016161085.tif 000002
【特許請求の範囲】
【請求項１】
内輪と外輪との間に介在する複数の玉が保持器により保持されたアンギュラ玉軸受において、前記外輪の内径部に外輪軌道溝を設け、この外輪軌道溝につながるカウンタボアを前記アンギュラ玉軸受の軸方向一方に形成し、前記保持器の柱部の外径側に突起部を設けたことを特徴とするアンギュラ玉軸受。
【請求項２】
前記外輪軌道溝には、前記カウンタボアからグリースが封入され、内輪回転で使用される請求項１のアンギュラ玉軸受。
【発明の詳細な説明】
【技術分野】
【０００１】
本発明は、アンギュラ玉軸受に関し、より詳細には、工作機械用スピンドルや、ボールねじ軸端支持を含む、鉄道、航空、一般産業機械、自動車等に適用されるアンギュラ玉軸受に関する。
【背景技術】
【０００２】
現在、転がり軸受には様々な潤滑方法が使用されている。中でも、グリース潤滑はメンテナンスが不要であり、外部装置を必要としないことから、非常に安価であり、多くの場面で用いられている。
【０００３】
グリース潤滑によるアンギュラ玉軸受としては、例えば、図３に示すように、内輪１１と外輪１２との間に介在する複数の玉１５が保持器１６により保持され、外輪１２の内径部に外輪軌道溝１４につながるカウンタボア１７がアンギュラ玉軸受１０の軸方向一方に形成され、内輪１１の外径部に内輪軌道溝１８につながるカウンタボア１９が軸方向他方に形成され、内輪１１と外輪１２と間の両端部にシール１３が設けられたものが知られている。
【０００４】
このアンギュラ玉軸受１０の組立て時にグリースがカウンタボア１７または１９から封入される。この際内輪１１側のカウンタボア１９からグリースが封入されると、軸受回転に伴う遠心力によってグリースが飛散し、回転初期の軸受トルクと軸受発熱が大きくなる。このため軸受のトルクと発熱を抑える観点からは外輪１２側のカウンタボア１７からグリースが封入されることが好ましい。しかし、カウンタボア１７からグリースが封入されると、保持器１６、外輪軌道溝１４及び転動体１５に囲まれる空間２０にもグリースが封入されるため、回転初期に転動体１５が空間２０に封入されたグリースを掻き分けるため、軸受トルクが生じていた。グリースをこの空間２０に封入させないためには、グリース封入時に封入ノズル位置を軸方向に調整する必要があるが、一般的にこの作業は困難となる。このため従来のアンギュラ玉軸受１０には，前記空間２０のグリースに起因した軸受の初期トルクと初期発熱を容易に抑え、尚且つグリースによる潤滑性を確保させる課題があった。
【０００５】
特開２０１４−１１９０３０で提案された軸受を図４に示す。この従来例では、保持器１６ａの軸方向両端部の内径側及び外径側に径方向に伸びる鍔部２１を設けている。これにより軸受内部に流入するグリースを制限することができ、低トルクが可能になるとしている。しかしこのような構造は、転動体１５への軸方向からのグリースの供給が保持器１６ａによって遮断されるため。潤滑の面では不利になる。また軸受組み立て時にグリースが封入される際にも、転動体１５にグリースが供給されないため、早期に軸受が焼き付く恐れがある。
【先行技術文献】
【特許文献】
【０００６】
【特許文献１】特開２０１４−１１９０３０号公報
【発明の開示】
【発明が解決しようとする課題】
【０００７】
本発明は、上述した事情に鑑みてなされたものであり、その目的は、グリース潤滑によるアンギュラ玉軸受の初期トルクと初期発熱の増大を抑制し、且つグリースによる潤滑性を確保することである。
【課題を解決するための手段】
【０００８】
上記の課題を解決するために、この発明に係るアンギュラ玉軸受としては、
内輪と外輪との間に介在する複数の玉が保持器により保持されたアンギュラ玉軸受において、外輪の内径部に外輪軌道溝を設け、この外輪軌道溝につながるカウンタボアをアンギュラ玉軸受の軸方向一方に形成し、保持器の柱部の外径側に突起を設けた構成とするものである。
【０００９】
このようにすると、外輪のカウンタボア側からグリースを封入しても、保持器の外径面、外輪軌道溝及び転動体に囲まれる空間にグリースが封入しにくくなる。
【発明の効果】
【００１０】
以上のように、前記空間にグリースが封入しにくくなるため、アンギュラ玉軸受の初期トルクと初期発熱の増大を抑制し、且つグリースによる潤滑性を確保することができる。
【図面の簡単な説明】
【００１１】
【図１】本発明の実施形態であるアンギュラ玉軸受を示す断面図
【図２】図１の保持器を外径側から見た図
【図３】従来のアンギュラ玉軸受を示す断面図
【図４】従来の玉軸受を示す断面図
【発明を実施するための形態】
【００１２】
以下、本発明に係るアンギュラ玉軸受の実施形態について、図面に基づいて詳細に説明する。なお、本発明の特徴は保持器の構造を工夫した点にある。その他の部分の構造及び作用は、前述の図３に示した従来のアンギュラ玉軸受と同様であるから、同等部分には同一符号を付して、重複する説明は省略若しくは簡略し、以下、本発明の特徴部分を中心に説明する。
【００１３】
この発明の実施形態を図１、図２に基づいて説明する。
この発明の実施形態であるアンギュラ玉軸受１０ａは、内輪回転で使用され、保持器１６ｂの柱部１６ｄの外径側中央部に突起部２２が形成されている。この突起部は、転動体である玉１５が保持されるポケット２３を除き、全周に形成されている。従って、保持器１６ｂの外径面、外輪軌道溝１４及び転動体１５に囲まれる空間２０ａは、図３の従来の空間２０に比べ小さくなる。
【００１４】
グリースはシール１３を組付ける前に外輪１２側のカウンタボア１７側から軌道溝１４に封入する。
従って、前記空間２０ａに封入されるグリースは少なくなり、回転初期に転動体１５が空間２０ａに封入されたグリースを掻き分ける力が小さくなるので、軸受の初期トルクと初期発熱を抑制することができる。
【符号の説明】
【００１５】
１０、１０ａ  アンギュラ玉軸受
１１  内輪
１２  外輪
１３  シール
１４  外輪軌道溝
１５  転動体
１６、１６ａ、１６ｂ  保持器
１６ｄ  柱部
１７  カウンタボア
１８  内輪軌道溝
１９  カウンタボア
２０、２０ａ  空間
２１  鍔部
２２  突起部
２３  ポケット
【図１】
2016161085.tif 000003
【図２】
2016161085.tif 000004
【図３】
2016161085.tif 000005
【図４】
2016161085.tif 000006
(57)【要約】【課題】安価な費用で  スピードナットを目的とする。【解決手段】本発明のナットは規格品のナットを利用することに特徴がある。ナットの軸心に対して所要寸法傾斜して、ボルトが丁度通る貫通孔を有していることに特徴がある。ナットはボルト挿入時抵抗なく貫通孔より斜め状態で直進可能でナット底部の押し圧座面の傾斜先端部が、被締め付け部材に接触するとナットが締め付け部材と並行になる動きをする、その時ボルトのネジ山にナットの対角線２点の雌螺子が接触する、その時点では接するだけであるがナットを増す締め回転させるとナットの雌螺子とボルトのネジ山が噛み合いねじ込まれて強固に締め付けられる。【選択図】図４
2016161130.tif 000002
【特許請求の範囲】
【請求項１】
規格品ナットの軸心に対して所要寸法傾斜してボルトの外径が丁度通る貫通孔を有した、スピードナット。
【請求項２】
該ナットと爪付座金とをコイルスプリングで連結すると、木痩せに対応して自動で隙間を埋め、地震などの振動で強固に締め付けることを特徴とする、請求項１記載のスピードナット。
【発明の詳細な説明】
【発明の詳細な説明】
【産業上の利用分野】
【０００１】本発明は、複数個の被締着部材を、ボルトの僅かな旋回操作によって簡易かつ迅速に締結状態とすることのできるスピードナットに関する。
【背景技術】
【０００２】従来ナットに対するボルトの締着を、簡易な螺回操作で得られるようにしたものとして。図６および図７の如きものが知られている。これらのナットは、図示したように、ケースａ１の上部に貫設したボルト挿入孔ｂ１の内側に、当該ボルト挿入孔ｂへ向け内径が縮小するテーパー状の内周壁部ｃ１に沿ったテーパー外表面ｄ１を設け、かつ中心孔壁にネジ状凹凸部ｅ１を形成した複数個の割ナットｆ、ｆ・・・・を用意し、これを前記ケースａ１内に配設した弾性体ｇによって、上記テーパー状とした内周壁部ｃ１に当接するように付勢させたものである。尚、同上図において、ｈはボルトを示し、ｉ，ｊ，は夫々被締着部材を示している。
【発明が解決しようとする課題】
【０００３】しかし、上記従来のナットのように、ケースａ１内周壁部ｃ１と複数個の割ナットｆ・・・の外表面ｄ１とを、その各テーパー  が整合するように形成したり、また上記各割ナットを複数個形成しなければならず、生産性が悪く、製造コストも高価となる。
【０００４】本発明は、上記従来技術が有するこのような問題に鑑み、ボルトによる締め付け操作が簡単迅速に行えるだけでなく数少なく、高い精度を要求されない部材で構成でき、しかも緩みなく堅牢な締め付けが出来るものを、簡潔な構成により安価に提供しようとするのが、目的である。
【０００５】本発明のナットは規格品のナットを利用することに特徴がある。ナットの軸心に対して所要寸法傾斜して、ボルトが丁度通る貫通孔を有していることに特徴がある。ナットはボルト挿入時抵抗なく貫通孔より斜め状態で直進可能で、ナット底部の押し圧座面の傾斜先端部が、被締め付け部材に接触するとナットが締め付け部材と並行になる動きをする、その時ボルトのネジ山にナットの対角線２点の雌螺子が接触する、その時点では接するだけであるがナットを増す締め回転させるとナットの雌螺子とボルトのネジ山が噛み合いねじ込まれて強固に締め付けられる。
【０００６】請求項２の特徴は該ナットと爪付座金とをコイルスプリングで連結すると、木痩せに対応して自動で隙間を埋め、地震などの振動で強固に締め付けることを特徴とする、従来木造住宅の連結金具の代表として羽子板金具が多用されている。この部材のナットの部分に本考案の爪付座金付ナットを使用した場合、ナット締め付けの時座金の爪部が梁などの構造材にめり込み強固に固定され、経年変化で木痩せが生じて、ナットに緩みが生じた時バネ力で、しゃく取り虫の様な動きで隙間をうめる。
【０００７】本発明の前記ならびにそのほかの目的と新規な特徴は次の説明を添付図面と照らし合わせて読むと、より完全になるであろうまた実施するための異なる形態の説明に当たって同一構成部品は同じ符号を符して重複する説明は省略する。ただし、図面はもっぱら解説のためのものであって本発明の技術的範囲を限定するものではない。
【実施例】
【０００８】図４は本発明のナットをボルトに挿入時の図でその後の作用を解説する、
本発明のナットは規格品のナットを利用することに特徴がある。ナットの軸心に対して所要寸法傾斜して、ボルトが丁度通る貫通孔１３を有していることに特徴がある。ナットはボルト挿入時抵抗なく貫通孔より斜め状態で直進可能でナット底部の押し圧座面の傾斜先端部１５が、被締め付け部材１６に接触するとナットが締め付け部材と並行になる動きをする、その時ボルトのネジ山にナットの対角線２点の１１と１２の雌螺子が接触する、その時点では接するだけであるがナットを増す締め回転させるとナットの雌螺子とボルトのネジ山が噛み合いねじ込まれて強固に締め付けられる。【０００９】該ナット３０と爪付座金３２とをコイルスプリング３１で連結すると、木痩せに対応して自動で隙間を埋め、地震などの振動で強固に締め付けることを特徴とする、従来木造住宅の連結金具の代表として羽子板金具３６が多用されている。この部材のナットの部分に本考案の爪付座金付ナットを使用した場合、ナット締め付けの時座金の爪部３５が梁などの構造材にめり込み強固に固定され、経年変化で木痩せが生じて、ナットに緩みが生じた時バネ力３１で、しゃく取り虫の様な動きで隙間をうめる。
【発明の効果】
【００１０】１個の部品でスピードナット、を提供する。着痩せに対応した緩み止めナットを提供する。
【図面の簡単な説明】
【００１１】
【図１】ナットの正面図。
【図２】図３のＡ‐Ａ断面図。
【図３】平面図
【図４】本発明のナットをボルトに挿入時の断面図。
【図５】本発明のナット締め付け完了の断面図である。
【図６】従来の異種スピードナットを示す使用状態の縦断内部正面図である。
【図７】従来の異種スピードナットを示す使用状態の縦断内部正面図である。
【図８】本発明の分解斜視図である。
【図９】本発明の爪付座金付ナットの設置状態の一部断面図である。
【符号の説明】
【００１２】１０  ナット
１１  雌ねじ部
１２  雌ねじ部
１３  貫通孔
１４  ボルト
１５  先端部
３０  溝付ナット
３１  バネ
３２  爪付座金
３３  溝部
３４  バネ固定用爪
３５  座金固定用爪
３６  羽子板金具
３７  釘
３８  木材            ３９  木材
ａ  ケース
ｂ  挿入孔
ｃ  壁部
ｄ  外表面
ｅ  凹凸部
ｆ  割ナット
ｇ  弾性体
ｈ  ボルト
ｉ  被締着部材
ｊ  被締着部材
【図１】
2016161130.tif 000003
【図２】
2016161130.tif 000004
【図３】
2016161130.tif 000005
【図４】
2016161130.tif 000006
【図５】
2016161130.tif 000007
【図６】
2016161130.tif 000008
【図７】
2016161130.tif 000009
【図８】
2016161130.tif 000010
【図９】
2016161130.tif 000011
(57)【要約】【課題】  本発明はこれまでの口臭予防の為の香料剤及びサプリメントのみを使用するのと違い、当器具装置を利用することにより、口腔内の気になる歯垢、ねばり等による不快な口臭を解消及び予防し、又喉薬等を本装置によって使用することにより、常時喉薬を効果的に長時間作用させることが出来、よって日常生活を快適に送るのを課題とする。【解決手段】  本装置の溝（図１の符号に示す溝）に粘着性の消臭物及び香料を必要量埋め込みプラスチック製の弾性を利用し、部分床義歯の維持安定装置同様左右に伸縮可能な維持装置を設け必要な各歯冠に装着することにより、口腔内に安定装着させ使用、これまで不快感のあった口臭、体内胃から出て来る異臭の解消、予防を溝を設けることにより本体と平面的に一体化させ異物感がなく粘着性の消臭物香料等を長時間にわたり持続することができ又、食事中や睡眠中にも使用できる。【選択図】図１
2016131704.tif 000002
【特許請求の範囲】
【請求項１】
口腔内の歯牙に装着し、維持安定させるため部分床義歯の鉤と同様に歯冠の左右に、伸縮自在なプラスチック製の材料を用いた装置で取り外しが容易で洗浄でき、何度でも継続的に使用できる装置で舌側面、頬側面、遠心面に溝を設け、取り外し可能な粘着性の香料等を、本装置の溝に埋め込み使用できるのを特徴とする、口臭予防歯冠装着器具装置であります。
【発明の詳細な説明】
【技術分野】
【０００１】
本発明は口腔内の気になる、不快な口臭を長時間にわたり解消及び予防するため口中内の歯牙に装着し、着脱可能で何度でも洗浄し継続的に使用できる器具装置の技術に関するものであります。
【背景技術】
【０００２】
従来、口臭予防対策としては歯を磨く、予防効果のあるガム、飴等を口にするか、又は消臭清涼剤を含む薬品等でうがいをするという方法があるが、いずれも食事中や長時間に於ける口臭予防対策には居たらなかった。
【先行技術文献】
【特許文献】
【０００３】
【特許文献１】特開２００６−７６９８３号公報
【発明の概要】
【発明が解決しようとする課題】
【０００４】
従来の口臭予防装置では、即効性はあっても持続性が不良であるため、十分な口臭予防効果を発揮することが出来なかった。そこで、本発明は装置に設けた溝に取り外しが容易にできる接着可能な粘着性の香料等を埋め込むことにより、長時間の口臭予防が持続可能出来るようにすることを課題とする。
【課題を解決するための手段】
【０００５】
上記課題を解決するために、請求項１記載の口臭予防歯冠装置器具装置を用いて消臭物、香料の容量を調整することができ従ってそれに応じて、口臭予防効果の時間が調整可能となり、十分に口臭対策でき又、取り扱いも容易という利点があります。
【発明の効果】
【０００６】
本発明を利用することによって、不快な口臭や、体内胃から出てくる臭いも抑えられる効果があり、着脱、洗浄、管理、移動時の携帯も従来の義歯同様容易にでき又、粘着性の本剤に喉薬を混ぜて使用することによって常時に炎症を予防すると共に不快な口臭の解消に寄与できる効果がある。
【図面の簡単な説明】
【０００７】
【図１】口臭予防歯冠装置器具装置の正面図である。
【図２】口臭予防歯冠装置器具装置の側面図である。
【図３】装着後の完成図である。
【発明を実施するための形態】
【０００８】
歯冠に固定するため伸縮自在のプラスチック製で出来た装置の溝（図面１−２）に口臭予防効果のある消臭物あるいは香料を必要な容量埋め込み、必要な各歯冠に装着して利用する。着脱が容易であるため義歯同様に取り扱うことが出来ます。
【符号の説明】
【０００９】
１−１  器具装置本体
１−２  溝
２−１  器具装置本体
２−２  溝
３−１  器具装置本体
３−２  溝
【図１】
2016131704.tif 000003
【図２】
2016131704.tif 000004
【図３】
2016131704.tif 000005
(57)【要約】      （修正有）【課題】ロールが痩せても、ペーパーのカットが片手で確実にできる竪型ロールペーパーホルダーを提供する。【解決手段】天盤と、背面盤２と、底盤３とで基本構成した本体９の片側または両側に、背面盤２との間にペーパーを通す隙間を設けて背面盤２との角度がペーパーを取り出す方向へ次第に小さくなる形状のロール受け袖４を設け、ロール受け袖先端１０を、ペーパーにブレーキの掛かる鋭角的突角形状とし、ロール受け袖４奥にはペーパー返し６を設ける。【選択図】図１
2016131864.tif 000002
【特許請求の範囲】
【請求項１】
天盤と、背面盤と、底盤とで基本構成した本体の片側または両側に、背面盤との間にペーパーを通す隙間を設けて背面盤との角度がペーパーを取り出す方向へ向って次第に小さくなる形状のロール受け袖を設け、ロール受け袖先端を、ペーパーにブレーキの掛かる鋭角的突角形状とし、ロール受け袖の奥には手前に向って勾配を付けたペーパー返しを設けた竪型ロールペーパーホルダー。
【請求項２】
天盤直下に適度な重さを持った概円盤形のロール押さえをスライド式で設けた請求項１記載の竪型ロールペーパーホルダー。
【発明の詳細な説明】
【技術分野】
【０００１】  本発明は、キッチンペーパー等のロールペーパーを竪方向にセットし、ミシン目からカットする形式の竪型ロールペーパーホルダーである。
【背景技術】
【０００２】  ロールペーパーを竪にセットするホルダーは各種販売されていて、ロールを容器に収納する形式と、ポールを立ててロールの中心軸穴に嵌めこむ形式がある。
【発明の概要】
【発明が解決しようとする課題】
【０００３】  従来のキッチンペーパーホルダーには各種あるので製品別に課題を述べることはできないが、ペーパーが厚いので、ミシン目からカットするのが前提になり、切り刃は原則不要となる。料理に使うから片手で使いたいが、従来品はペーパーに対するブレーキが不十分なので、使用によってロールが軽くなると、カラ廻りし、両手を使わないとペーパーをカットできない。また、ペーパーが厚いので巻きクセがあり、カット後の掴み代の確保が難しかった。
【課題を解決するための手段】
【０００４】  天盤１と、背面盤２と、底盤３とで基本構成した本体９の片側または両側に、背面盤２との間にペーパーを通す隙間を設けて背面盤２との角度がペーパーを取り出す方向へ向って次第に小さくなる形状のロール受け袖４を設け、ロール受け袖先端１０を、ペーパーにブレーキの掛かる鋭角的突角形状とし、ロール受け袖４の奥には手前に向って勾配を付けたペーパー返し６を設ける。また、天盤１直下には、適度な重さを持った概円盤形のロール押さえ５をスライド式で設ける。
【発明の効果】
【０００５】  ロールペーパーは、使用によって細くなっても、背面盤との角度が次第に小さくなる形状のロール受け袖と背面盤間に食い込む構成であり、適度にブレーキが掛かり、カット時にはロール受け袖先端の鋭角的突角形状で最終ブレーキが掛かり、確実にペーパーをカットできる。また、ロール押さえを使えば、ロールは立てたまま差し込んでいるだけだが、倒れることも無く、飛び出すこともない。【０００６】  ペーパーのカットは、ペーパーを横方向へ引き出し、ミシン目が見えたら手前へ引張れば、ミシン目からカットされる。片手で操作でき、ペーパーしか触らないので衛生的だし、ロールが痩せても確実にカットでき、ペーパー返しでペーパー端が掴みやすい方向に向き、次回使用時の掴み代が確実に作られる。【０００７】  ロールが背面盤に接触しているから、背面盤からの突出が少なく、奥の方からペーパーを引き出すので、背面盤からの引き出し長さが短くて済み、ペーパーを横へ引き出すから、ミシン目が見易い。【０００８】  壁面に取り付けできるし、床置きとして独立しても使用できる。床置きとする時は、底盤裏面に滑り止めをつけると良い。ペーパーの取出しは右側からでも左側からでも使用できるので便利だ。上部に天盤があるから、ほこり除けとなり、移動する時はロール押さえのツマミを摘んで釣り上げれば簡単だ。また、簡単構造だから、安価で提供できる。
【発明を実施するための形態】
【０００９】  好みによっては、前面に開閉式のカバーをつけてもよい。
【図面の簡単な説明】
【００１０】
【図１】  横断面図
【図２】  縦断面図
【符号の説明】
【００１１】  １  天盤
２  背面盤
３  底盤
４  ロール受け袖
５  ロール押さえ
６  ペーパー返し
７  ロールペーパー
８  ロール押さえのツマミ
９  本体
１０  ロール受け袖先端
【図１】
2016131864.tif 000003
【図２】
2016131864.tif 000004
(57)【要約】【課題】  本発明は、介護用品として、寝たきりの人や一人で起き上がって排尿できない人のため考案されたものである。しかし、導尿器の課題として睡眠中に体の移動等により、外に尿が漏れる危険がある。【解決手段】  上記課題を解決するため、原則として紙おむつ等を使用したうえで使用することにより、たとえ尿が漏れたとしても紙おむつをしているので布団を汚さなくて済む。紙おむつをしていることにより尿に比較して回数の少ない大便にも対応できる。【選択図】図１
2016131869.tif 000002
【特許請求の範囲】
【請求項１】
男性用コンドーム型導尿器です。
男性用コンドーム型導尿器のコンドーム部分を男性の陰茎に装着する。そして装着した場合、簡単にはずれないよう外側を接着用の紙テープで固定する。さらにコンドームの内側に肌荒れしない弱い接着用の薬剤をぬり、泌尿器から外れることによる尿漏れの危険を防ぐ。男性用コンドーム型導尿器は導尿器の先を堅いプラチック製にしてその先をとがらせて紙オムツ等を通し、その先をビニール製等の管につなげ排尿袋に、尿がたまるように導尿する。
【請求項２】
女性用ペッサリー型導尿器です。
女性用ペッサリー型導尿器のペッサリー部分を尿道口を覆うように装着する。そして装着した場合、簡単にはずれないよう外側を接着用の紙テープで固定する。さらにペッサリーの内側に肌荒れしない弱い接着用の薬剤をぬり、泌尿器から外れることによる尿漏れの危険を防ぐ。女性用ペッサリー型導尿器は導尿器の先を堅いプラチック製にしてその先をとがらせて紙オムツ等を通し、その先をビニール製等の管につなげ排尿袋に、尿がたまるように導尿する。
【発明の詳細な説明】
【技術分野】
【０００１】  本発明は、導尿に関するものであり、寝たきりの人が寝ながら排尿できるように発明されたものである。
【背景技術】
【０００２】  従来から、導尿器として使用されているものとして、尿道に差し入れる高度な医学的専門知識を要する、泌尿器科の医師による指導の下で看護師等に行わせているものしか現在は使用されておりません。
【発明の概要】
【発明が解決しようとする課題】
【０００３】  しかし、従来のような尿道に差し入れる導尿器では泌尿器科の専門医か泌尿器科の専門医の指導の下で看護師が実施しているのが現状で、一般の介護人は使用処置することはできない。
【課題を解決するための手段】
【０００４】  この課題を解決するための請求項１の発明は、男性用コンドーム型排尿器で、一般の介護人でもホームヘルパーでも寝たきりの男性被介護人に使用できるよう開発したものである。【０００５】  また、同様の課題を解決するための請求項２の発明は、女性用ペッサリー型排尿器で、一般の介護人でもホームヘルパーでも寝たきりの女性被介護人に使用できるよう開発したものである。
【発明の効果】
【０００６】  本発明により、介護人による被介護人の紙おむつ等の交換の回数が少なくなり、介護が楽になる。
【図面の簡単な説明】
【００１１】
【図１】  男性用コンドーム型導尿器の断面図である。
【図２】  女性用ペッサリー型導尿器の断面図である。
【発明を実施するための最良の形態】
【０００７】  図１は、男性用導尿器を実施するための形態について説明する。
男性用コンドーム型導尿器のコンドーム部分を男性の陰茎に装着した場合、簡単にはづれないよう外側を接着用の紙テープで固定する。さらにコンドームの内側に肌荒れしない弱い接着用の薬剤をぬり、泌尿器から外れることによる尿漏れの危険を防ぐ。【０００８】  図２は、女性用導尿器を実施するための形態について説明する。
女性用ペッサリー型導尿器のペッサリー部分を尿道口を覆うように装着した場合、簡単にはずれないよう外側を接着用の紙テープで固定する。さらにペッサリーの内側に肌荒れしない弱い接着用の薬剤をぬり、泌尿器から外れることによる尿漏れの危険を防ぐ。【０００９】  これら導尿器の材料は、ビニール製又はポリエチレン製又はゴム製等で、一部プラチックを用いる。
【産業上の利用可能性】
【００１０】  本発明に係る導尿器は、工業的に安価に量産する事が可能であるとともに、介護に係る手間を大幅に改善するものであるのでその利用可能性を有する。
さらに、排尿袋を肩掛け用バック等に入れ、携帯用導尿器としても使用できるようにすることにより健常者にも利用可能性が広がる。
【符号の説明】
【００１２】    １紙おむつ
２導尿器
３導尿管
４排尿袋
【図１】
2016131869.tif 000003
【図２】
2016131869.tif 000004
(57)【要約】【課題】電解液が漏れ出すおそれのないマグネシウム空気電池を提供する。【解決手段】空気正極７の外側から所定の圧力を有する空気Ａが供給されるため、容器１の空気正極７周囲部分から電解液３が漏れ出すおそれがない。また空気正極７からの空気Ａの供給が促進され電池性能が向上する。【選択図】図１
2016131063.tif 000002
【特許請求の範囲】
【請求項１】
マグネシウム合金からなる負極を容器内に保持した電解液中に浸漬させ、容器の側面部に内面が電解液に接し外面が空気に接する空気正極を組み込んだマグネシウム空気電池において、
前記容器の空気正極の外側に密閉空間を形成し該密閉空間に所定の圧力で空気を供給することことを特徴とするマグネシウム空気電池。
【請求項２】
マグネシウム合金がカルシウムとの合金であることを特徴とする請求項１記載のマグネシウム空気電池。
【発明の詳細な説明】
【技術分野】
【０００１】
本発明はマグネシウム空気電池に関するものである。
【背景技術】
【０００２】
従来より金属負極と空気正極を組み合わせたマグネシウム空気電池が知られている。金属負極はマグネシウム等の金属板で、容器に保持された電解液内に垂直状態で浸漬される。空気正極は電解液を保持する容器の側面部の一部を構成し、金属負極と同様に垂直状態で設置される。具体的には容器の側面部に形成した開口に空気正極を嵌め込んで周囲を封止する。
【０００３】
このように垂直に設置された空気正極の内面は電解液に接し外面は大気に接する。空気正極を通して酸素を電解液内に取り込むことができる。金属負極は電子を放出して金属イオンとなり電解液中に溶出する。空気正極ではその電子を受け取り起電力が発生する（例えば、特許文献１参照）。
【先行技術文献】
【特許文献】
【０００４】
【特許文献１】特開２０１２−１３４１６０号公報
【発明の概要】
【発明が解決しようとする課題】
【０００５】
しかしながら、このような従来の技術にあっては、電解液を保持した容器の側面部に空気正極を組み込むため、周囲を封止したとしても、特に空気正極の下部において電解液の水圧が加わり、電解液が漏れ出すおそれがある。
【０００６】
本発明は、このような従来の技術に着目してなされたものであり、電解液が漏れ出すおそれのないマグネシウム空気電池を提供することを目的としている。
【課題を解決するための手段】
【０００７】
本発明の第１の特徴によれば、マグネシウム合金からなる負極を容器内に保持した電解液中に浸漬させ、容器の側面部に内面が電解液に接し外面が空気に接する空気正極を組み込んだマグネシウム空気電池において、前記容器の空気正極の外側に密閉空間を形成し該密閉空間に所定の圧力で空気を供給する。
【０００８】
本発明の第２の特徴によれば、マグネシウム合金がカルシウムとの合金である。
【発明の効果】
【０００９】
本発明によれば、空気正極の外側から所定の圧力を有する空気が供給されるため、容器の空気正極の周囲部分から電解液が漏れ出すおそれがない。また空気正極からの空気の供給が促進され電池性能が向上する。
【００１０】
さらに、マグネシウムにカルシウムを合金化することにより、マグネシウムに難燃性が付与されて取り扱いが容易になる。
【図面の簡単な説明】
【００１１】
【図１】マグネシウム空気電池を示す断面図。
【発明を実施するための形態】
【００１２】
容器１の部には開口２が形成されている。容器１内には電解液３が保持されている。電解液３は塩化ナトリウム水溶液等が好適である。濃度は海水程度から飽和まで使用可能であるが５〜１５重量％が好適と思われる。ｐＨは７〜１１が好適である。７以上のアルカリであるため後述する負極４から水素が発生しずらく、１１以下であるため負極４の表面に被膜が発生しずらい。
【００１３】
開口２は蓋５で塞がれており、蓋５の裏側には支持部材６を介して厚板状の負極４が固定されている。負極４はマグネシウム合金で、マグネシウム金属にカルシウム成分が合金化されている。マグネシウムにカルシウムを合金化することにより、マグネシウムに難燃性が付与されて取り扱いが容易になる。蓋５を負極４ごと開口２に取付けることにより、負極４を電解液３中に浸漬させることができる。
【００１４】
容器１の一方の側面部１ａには空気正極７が設けられている。空気正極７は負極４とほぼ同じ面積を有している。空気正極７には活性炭、炭素繊維、銅など導電性を有する材料が用いられる。空気正極７は大気中の酸素に電解液３中の電子を供給する役割をする。空気正極７は容器の側面部１ａを切り欠いてそこに組み込まれ、周囲を防水シールした構造である。
【００１５】
容器１における空気正極７の外側には空気正極７を覆う密閉室Ｒが形成されている。この密閉室Ｒの上部にはホース８が気密状態で接続され、そのホース８には空気ポンプＰから所定圧力の空気Ａが供給される。
【００１６】
この空気ポンプＰからの空気Ａの供給は、空気正極７の周囲、特に水深が深く最も電解液３の水圧が加わる空気正極７の下端における漏れを防止できる程度の大気圧よりもわずかに大きな圧力で良く、大きな電力を必要としない。
【００１７】
このマグネシウム空気電池では、負極４を電解液３内に浸漬することにより、負極４の表面（特に空気正極７側の表面）においてマグネシウムイオンが溶出して電子を電解液３中に放出する。この電子を空気正極７側から供給された酸素で受け取って起電力が発生する。
【００１８】
この実施形態では、空気正極７の外側から所定の圧力を有する空気Ａが供給されるため、容器１の空気正極７の周囲部分から電解液３が漏れ出すおそれがない。また空気正極７からの空気の供給が促進され電池性能が向上する。
【００１９】
更に空気正極７における電解液３の漏れの心配がないため、空気正極７の周囲の容器１に対するシール作業も簡単で済む。
【００２０】
尚、以上の実施形態では、１つの空気ポンプＰで１つのマグネシウム空気電池の密閉室Ｒに空気Ａを供給する例を示したが、１つの空気ポンプＰで複数のマグネシウム空気電池の密閉室Ｒに空気Ａを同時に供給するようにしても良い。
【符号の説明】
【００２１】
１  容器
１ａ  側面部
３  電解液
４  負極
７  空気正極
８  密閉室
Ａ  空気
Ｐ  空気ポンプ
【図１】
2016131063.tif 000003
(57)【要約】【課題】  本発明は、携帯に便利で瞬時に丸め曲げして見やすい傾斜角に起こし立て支持することができるスマートフォンスタンドを新規に提供することを課題とする。【解決手段】  本発明は、はね丸め特性を備えたスチール入りの帯体の中心部をスマートフォンの裏面に取外し可能に取付け、スチールのはね丸め特性により帯体の中心部を挟んだ両翼を外側に瞬時に丸め曲げしてスタンド脚を構成するようにしてスマートフォンを見やすい傾斜角に起こし立てするようにして課題を解決する。【選択図】図１
2016131307.tif 000002
【特許請求の範囲】
【請求項１】
はね丸め特性を有すスチール入りの帯体の中心部に吸盤を取付け、または中心部の両側に剥がしシート付きの糊面を設けてスタンド体を形成し、該スタンド体を平面形に展開して中心部をスマートフォンの裏面に吸着または貼付け、前記スチールのはね丸め特性によりスタンド体の両翼を外側に丸め曲げして、スタンド脚を構成させ、スマートフォンを見やすい傾斜角に起こし立てするようにしたことを特徴とするスマートフォンスタンド。
【発明の詳細な説明】
【技術分野】
【０００１】
この発明はスマートフォンスタンドに関するものある。
【背景技術】
【０００２】
この種のスタンドとしては登録第３１７６５２２号実用新案がある。該実用新案は動物などの造形物にてなるスタンド体に着脱可能の固定部を設けて携帯電話端末を立て置きすることができるようにしたことを記載している。
【特許文献１】実用新案登録第３１７６５２２号公報
【発明の開示】
【発明が解決しようとする課題】
【０００３】
しかしながら、動物などの造形物にてなるスタンド体は嵩ばるので取付けたままの携帯は著しく不便という課題がある。
また、固定部の位置、携帯電話端末への取付け方によっては携帯電話端末の立て置きが不安定になるという課題がある。
【課題を解決するための手段】
【０００４】
本発明は、スタンド体を構成する帯体をはね丸め特性を有すスチール入りにて形成し、平面形に展開してスマートフォンの裏面に中心部を吸着または貼付け、帯体の一端を押すなどしてスチールのはね丸め特性により帯体の両翼を瞬時に丸め曲げてスタンド脚を構成してスマートフォンを見やすい傾斜角に起こし立て支持するようにして課題を解決する。
【発明の効果】
【０００５】
本発明のスタンドは、平面形の帯体によって構成されるために嵩ばらないから、スマートフォンに取付けたまま携帯することができるという効果を生ずる。
【０００６】
はね丸め特性を有すことによってワンタッチ且つ瞬時に丸め曲げしてスタンド脚を構成することができるという効果を生ずる。
【０００７】
スマートフォンを見やすい傾斜角に安定して起こし立てすることができるという効果を生ずる。
【０００８】
吸盤と糊面のいずれかにてスマートフォンに取付けることができるという効果を生ずる。
【図面の簡単な説明】
【０００９】
【図１】（ａ）はスタンド体を展開した状態にて示す正面図、（ｂ）は同、背面図、（ｃ）は同、側面図
【図２】（ａ）はスタンド体をスマートフォンの裏面に吸着した状態を示す側面図、（ｂ）は同、はね丸めてスタンド脚を構成した状態を示す側面図
【図３】同、スマートフォンを起こし立て支持している状態を示す図
【図４】スタンド体の吸着位置を調整した起こし立て例を示すスマートフォンの裏面斜視図
【図５】（ａ）は第２実施例のスタンド体を展開した状態にて示す背面図、（ｂ）はスマートフォンの裏面に貼着取付けした状態を示す側面図
【符号の説明】
【００１０】
１はスチール
２は帯体
３は吸盤
４ａは剥がしシート
４ｂは糊面
５はスタンド体
６はスマートフォン
７はスタンド脚
【発明を実施するための最良の形態】
【００１１】
本発明は、はね丸め特性を有すスチール入りの帯体と、該帯体の中心部に吸盤を取付け、または中心部の両側に剥がしシート付きの糊面を設けてスタンド体とし、該スタンド体を平面形に展開して中心部をスマートフォンの裏面に吸着または貼付け、スタンド体の一端を押すなどすることでスチールのはね丸め特性を活かしてスタンド体の両翼を瞬時に外側に丸め曲げしてスタンド脚を構成して、スマートフォンを見やすい傾斜角に起こし立て支持するように構成する。
【実施例１】
【００１２】
図１乃至図４は本発明の第１実施例であって、芯としてはね丸め特性を有すスチール１を入れたシリコン製の帯体２と。帯体２の中心部に吸盤３を取付けてスタンド体５を形成し、該スタンド体５を平面形に展開して中心部をスマートフォン６の裏面に吸着し、使用時にスタンド体５の一端を押すなどして図２（ｂ）に示すようにスチール１の特性によりスタンド体５を中心部を挟んで両翼を外側に瞬時に丸め曲げしてスタンド脚７を構成して図３に示すようにスマートフォン６を見やすい傾斜角に起こし立て支持する。スタンド脚７は図２（ｂ）に示すように側面視有端の円形となる。
【００１３】
起こし立てを解いて携帯するときは丸め曲げしたスタンド脚７を両端に引き伸ばし圧を加えると瞬時に展開して再び平面形に戻るので、スタンド体５はスマートフォン６に添着して嵩ばらない状態となるから携帯しやすくなる。
【００１４】
傾斜角は吸盤３の取付け位置を調整することで例えば図４に示すように各自の見やすい角度にかえて起こし立て支持することができる。
【００１５】
なお、はね丸め特性を有すスチール１は幅方向に反りを設けて、反ったときに平面形に伸びた展開状態となり、押すなどして反りを解くと弾性により瞬時に丸め曲がるように焼き入れして形成される。
【実施例２】
【００１６】
図５は第２実施例であって、帯体２の中心部の吸盤にかえて、中心部の両側に剥がしシート４ａ付きの糊面４ｂを設けてスタンド体５を形成し、スマートフォン６の裏面に取付けるようにしたほかは第１実施例と同じである。なお糊面は４ｂは中心部の１個所に設けることもある。
【００１７】
本発明のスタンドは、スマートフォンのほか同タイプの電子書籍リーダー，ミニパソコンなど各種のモバイル機器に取付けて使用することができる。
【産業上の利用可能性】
【００１８】
本発明のスマートフォンスタンドは、取付けたままでも嵩ばらずして携帯に便利で、使用時にはワンタッチ操作にて瞬時にスタンド脚を構成してスマートフォンを見やすい傾斜角に起こし立て支持することで広く利用されるものである。
【図１】
2016131307.tif 000003
【図２】
2016131307.tif 000004
【図３】
2016131307.tif 000005
【図４】
2016131307.tif 000006
【図５】
2016131307.tif 000007